(57)【要約】【課題】毎日定期的に行う血圧測定や血糖測定の結果である健康測定情報を用いることで、より手軽に日々の安否確認が行えるＩＰ電話装置及び安否確認システムの提供を目的としている。【解決手段】ＩＰ電話装置１００が、健康測定を行う時間を設定できるタイマー設定手段１２２と、健康測定を行う時間になったことを知らせる催促手段１２３と、健康測定を行った結果からなる健康測定情報を入力できる測定情報入力手段１２４と、健康測定情報の入力の有無により所定の連絡先へ通報する安否情報通報手段１２６と、を備えることにより、健康測定情報を特定の時間に確実に得ることができるとともに、その健康測定情報の有無により所定の連絡先へ通報が行われることになる。【選択図】図３
2013026783.tif 000002
【特許請求の範囲】
【請求項１】
ＩＰネットワークを使った通話が可能なＩＰ電話装置であって、
健康測定を行う時間を設定できるタイマー設定手段と、
健康測定を行う時間になったことを知らせる催促手段と、
健康測定を行った結果からなる健康測定情報を入力できる測定情報入力手段と、
健康測定情報の入力の有無により所定の連絡先へ通報する安否情報通報手段と、
を備えることを特徴とするＩＰ電話装置。
【請求項２】
前記前記催促手段は、複数回にわたって健康測定を行う時間になったことを知らせることができることを特徴とする請求項１に記載のＩＰ電話装置。
【請求項３】
複数の健康測定の項目から特定の健康測定を設定できる測定項目設定手段を備えていることを特徴とする請求項１または２に記載のＩＰ電話装置。
【請求項４】
前記測定情報入力手段は、健康測定を行うヘルスケア装置から直接健康測定情報が入力されることを特徴とする請求項１から３のいずれかに記載のＩＰ電話装置。
【請求項５】
健康測定に費やす期間を設定できる測定実施期間設定手段を備えていることを特徴とする請求項１から４のいずれかに記載のＩＰ電話装置。
【請求項６】
ＩＰネットワークを使った通話が可能なＩＰ電話装置を備える安否確認システムであって、
前記ＩＰ電話装置は、健康測定を行った結果からなる健康測定情報を入力できる測定情報入力手段を備え、
前記安否確認システムは、
健康測定を行う時間を設定できるタイマー設定手段と、
健康測定を行う時間になったことを知らせる催促手段と、
健康測定情報を記憶できる測定結果保存手段と、を備えていることを特徴とする安否確認システム。
【請求項７】
前記前記催促手段は、複数回にわたって健康測定を行う時間になったことを知らせることができることを特徴とする請求項６に記載の安否確認システム。
【請求項８】
前記安否確認システムは、
複数の健康測定の項目から特定の健康測定を設定できる測定項目設定手段を備えていることを特徴とする請求項６または７に記載の安否確認システム。
【請求項９】
前記測定情報入力手段は、健康測定を行うヘルスケア装置から直接健康測定情報が入力されることを特徴とする請求項６から８のいずれか一項に記載の安否確認システム。
【請求項１０】
前記安否確認システムは、
健康測定に費やす期間を設定できる測定実施期間設定手段を備えていることを特徴とする請求項６から９のいずれか一項に記載の安否確認システム。
【発明の詳細な説明】
【技術分野】
【０００１】
本発明は、ＩＰネットワークに接続されたＩＰ電話装置、およびＩＰ電話装置を用いた安否確認システムに関し、特に、健康測定の結果である健康測定情報を用いて安否確認を行うＩＰ電話装置および安否確認システムに関する。
【背景技術】
【０００２】
近年一人で暮らす老人の数が増加してきている。その為、一人暮らしの老人の安否確認が必要になってきている。このような老人など、在宅者の安否確認に関する方法として、例えば特許文献１に記載されているものが知られている。これは、家庭内にある電気製品の操作情報をもとにした安否確認の方法である。
【先行技術文献】
【特許文献】
【０００３】
【特許文献１】特開２００１−３０７２６０号公報
【発明の概要】
【発明が解決しようとする課題】
【０００４】
特許文献１に記載されている安否確認は、電気製品の操作情報をもとにしている。具体的には特許文献１の段落「０００９」などに記載されているが、電源コードを電源に接続する操作や、電気製品に配設されたスイッチのプッシュ操作の情報を用いた安否確認となっている。
【０００５】
しかしながら、電気製品の操作情報をもとにした安否確認を行う場合、ユーザが毎日特定の時間に電気製品の操作を行う保障はない。したがって安否の通報を自動化しても、通報までに特定の時間的余裕を設定しておかなければ、ユーザに問題が発生していなくても電気製品の操作が遅れたことにより、問題が発生したという誤報が行われてしまう可能性がある。
【０００６】
また、電気製品は一般的に夏場や冬場で使用する種類や時間が大きく異なる。例えば特許文献１のような電気ポットであれば、夏場は全く使用されなかったり、冬場に比べ使用頻度が極端に下がってしまったりすることが起こりうる。この場合、ユーザは使用する意思がなくても、安否確認のためにわざわざ電気製品を使用しなければならない、ということも考えられる。
【０００７】
さらには、特許文献１の安否確認のシステムによると、電気製品の他に、外部との通信手段を備えた集中管理部が必要なる。このような安否確認のシステムは非常に大掛かりなものになってしまうことが考えられる。
【０００８】
そこで本発明は、毎日定期的に行う血圧測定や血糖測定の結果である健康管理情報を用いることで、より手軽に日々の安否確認が行えるＩＰ電話装置及び安否確認システムの提供を目的としている。
【課題を解決するための手段】
【０００９】
前記課題を解決するために、本願の請求項１にかかる発明は、ＩＰネットワークを使った通話が可能なＩＰ電話装置であって、健康測定を行う時間を設定できるタイマー設定手段と、健康測定を行う時間になったことを知らせる催促手段と、健康測定を行った結果からなる健康測定情報を入力できる測定情報入力手段と、健康測定情報の入力の有無により所定の連絡先へ通報する安否情報通報手段と、を備えることを特徴とする。
【００１０】
また本願の請求項２にかかる発明は、請求項１にかかるＩＰ電話装置であって、前記前記催促手段は、複数回にわたって健康測定を行う時間になったことを知らせることができることを特徴とする。
【００１１】
また本願の請求項３にかかる発明は、請求項１または２にかかるＩＰ電話装置であって、  複数の健康測定の項目から特定の健康測定を設定できる測定項目設定手段を備えていることを特徴とする。
【００１２】
また本願の請求項４にかかる発明は、請求項１から３のいずれかにかかるＩＰ電話装置であって、前記測定情報入力手段は、健康測定を行うヘルスケア装置から直接健康測定情報が入力されることを特徴とする。
【００１３】
また本願の請求項５にかかる発明は、請求項１から４のいずれかにかかるＩＰ電話装置であって、健康測定に費やす期間を設定できる測定実施期間設定手段を備えていることを特徴とする。
【００１４】
また本願の請求項６にかかる発明は、ＩＰネットワークを使った通話が可能なＩＰ電話装置を備える安否確認システムであって、前記ＩＰ電話装置は、健康測定を行った結果からなる健康測定情報を入力できる測定情報入力手段を備え、前記安否確認システムは、健康測定を行う時間を設定できるタイマー設定手段と、健康測定を行う時間になったことを知らせる催促手段と、健康測定情報を記憶できる測定結果保存手段と、を備えていることを特徴とする。
【００１５】
また本願の請求項７にかかる発明は、請求項６にかかる安否確認システムであって、前記前記催促手段は、複数回にわたって健康測定を行う時間になったことを知らせることができることを特徴とする。
【００１６】
また本願の請求項８にかかる発明は、請求項６または７にかかる安否確認システムであって、前記安否確認システムは、複数の健康測定の項目から特定の健康測定を設定できる測定項目設定手段を備えていることを特徴とする。
【００１７】
また本願の請求項９にかかる発明は、請求項６から８のいずれかにかかる安否確認システムであって、前記測定情報入力手段は、健康測定を行うヘルスケア装置から直接健康測定情報が入力されることを特徴とする。
【００１８】
また本願の請求項１０にかかる発明は、請求項６から９のいずれかにかかる安否確認システムであって、前記安否確認システムは、健康測定に費やす期間を設定できる測定実施期間設定手段を備えていることを特徴とする。
【発明の効果】
【００１９】
請求項１にかかる発明においては、ＩＰネットワークを使った通話が可能なＩＰ電話装置であって、健康測定を行う時間を設定できるタイマー設定手段と、健康測定を行う時間になったことを知らせる催促手段と、健康測定を行った結果からなる健康測定情報を入力できる測定情報入力手段と、健康測定情報の入力の有無により所定の連絡先へ通報する安否情報通報手段と、で構成されている。
【００２０】
このような構成にすることにより、設定された時間になると、健康測定を行うよう催促されるので、健康測定を忘れることなく実施することでき、また健康測定情報の入力の有無によって所定の連絡先へ安否の通報が行われるので、毎日定期的な安否の情報を知らせることができる。
【００２１】
請求項２にかかる発明においては、請求項１にかかる発明において、例えば、たまたま健康測定の時間になっているとの催促に気づかなかったとしても、何度か催促が行われるので、ユーザが健康測定を忘れるということをより確実に防ぐことができる。
【００２２】
請求項３にかかる発明においては、請求項１または２にかかる発明において、ユーザにとって必要な健康測定の項目を選択することが可能となる。
【００２３】
請求項４にかかる発明においては、請求項１から３にかかる発明において、ユーザが、わざわざ健康測定情報を入力する必要がないので、入力ミス等を防ぐことが可能となる。
【００２４】
請求項５にかかる発明においては、請求項１から４にかかる発明において、健康測定によって測定に費やす時間が変ってくるので、測定項目によって自由に測定に費やす時間を設定することができ、ユーザが安心して測定を行うことが可能となる。
【００２５】
請求項６にかかる発明においては、ＩＰネットワークを使った通話が可能なＩＰ電話装置を備える安否確認システムであって、前記ＩＰ電話装置は、健康測定を行った結果からなる健康測定情報を入力できる測定情報入力手段を備え、前記安否確認システムは、健康測定を行う時間を設定できるタイマー設定手段と、健康測定を行う時間になったことを知らせる催促手段と、健康測定情報を記憶できる測定結果保存手段と、を備えている。
【００２６】
このような構成にすることにより、設定された時間になると、健康測定を行うよう催促されるので、健康測定を忘れることなく実施することでき、また健康測定情報が記憶されている測定結果保持手段にアクセスすることで、健康測定情報の更新の有無などをもとにユーザの安否を確認することができる。
【００２７】
請求項７にかかる発明においては、請求項６にかかる発明において、例えば、たまたま健康測定の時間になっているとの催促に気づかなかったとしても、何度か催促が行われるので、ユーザが健康測定を忘れるということをより確実に防ぐことができる。
【００２８】
請求項８にかかる発明においては、請求項６または７にかかる発明において、ユーザにとって必要な健康測定の項目を選択することが可能となる。
【００２９】
請求項９にかかる発明においては、請求項６から８にかかる発明において、ユーザが、わざわざ健康測定情報を入力する必要がないので、入力ミス等を防ぐことが可能となる。
【００３０】
請求項１０にかかる発明においては、請求項６から９にかかる発明において、健康測定によって測定に費やす時間が変ってくるので、測定項目によって自由に測定に費やす時間を設定することができ、ユーザが安心して測定を行うことが可能となる。
【図面の簡単な説明】
【００３１】
【図１】本発明を適用した実施例である安否確認システムの全体図である。
【図２】本発明を適用した実施例であるＩＰテレビ電話装置のブロック図である。
【図３】本発明の実施例におけるＩＰテレビ電話装置に追加された機能を示すブロック図である。
【図４】本発明の実施例で、ＩＰテレビ電話装置の初期設定の動作を示すフロー図である。
【図５】本発明の実施例で、ＩＰテレビ電話装置の動作を示すフロー図である。
【発明を実施するための形態】
【００３２】
以下、本発明の具体例を実施例及び図面を用いて詳細に説明する。但し、以下に示す実施例は、本発明の技術的思想を具体化するためのＩＰ電話装置およびＩＰ電話装置を用いた安否確認システムを例示するものであって、本発明をこのＩＰ電話装置およびＩＰ電話装置を用いた安否確認システムに特定することを意図するものではなく、本発明の技術的範囲は、特許請求の範囲の記載によって定められるものである。
【実施例】
【００３３】
図１は、本発明のＩＰ電話装置を含む安否確認システム全体の構成を示すブロック図である。本実施例において、この安否確認システム１０はＩＰテレビ電話装置１００、有線ＬＡＮ１０１、ＩＰ電話ルータ１０２、ブロードバンドルータ１０３、ゲートウェイ１０４、ＩＰ電話網１０５、インターネット１０６、ＰＳＴＮ網１０７（＝Ｐｕｂｌｉｃ Ｓｗｉｔｃｈｅｄ Ｔｅｌｅｐｈｏｎｅ Ｎｅｔｗｏｒｋ：公衆電話交換網）、及び加入者電話装置１０８、ヘルスケア装置１０９を含むように構成されている。
【００３４】
本発明のＩＰテレビ電話装置１００は有線ＬＡＮ１０１に接続され、有線ＬＡＮ１０１は、ＩＰ電話ルータ１０２を介してＩＰ電話網１０５に、ブロードバンドルータ１０３を介してインターネット１０６に、ゲートウェイ１０４を介してＰＳＴＮ網１０７にそれぞれ接続されることにより、通信が可能である。なお、ＩＰテレビ電話装置１００の内部構造の詳細については後述する。
【００３５】
有線ＬＡＮ１０１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００３６】
ＩＰ電話ルータ１０２、及びブロードバンドルータ１０３は、複数のＩＰネットワークを相互接続するためのネットワーク中継装置である。具体的には、ＯＳＩ（Ｏｐｅｎ Ｓｙｓｔｅｍｓ Ｉｎｔｅｒｃｏｎｎｅｃｔｉｏｎ）参照モデルでいうネットワーク層（第３層）やトランスポート層（第４層）の一部のプロトコルを解析して転送を行う。
【００３７】
本実例では、ＩＰ電話ルータ１０２は有線ＬＡＮ１０１とＩＰ電話網１０５との二つのＩＰネットワークを相互に接続する役割を持つ。またブロードバンドルータ１０３は、有線ＬＡＮ１０１とインターネット１０６との二つのＩＰネットワークを相互に接続する役割を持つ。
【００３８】
ゲートウェイ１０４は、プロトコル体系が異なるネットワーク間を相互接続するためのプロトコル変換器である。ゲートウェイ１０４は、例えば、有線ＬＡＮ１０１とＰＳＴＮ網１０７とを接続し、ＳＩＰ等のシグナリングプロトコルを用いてシグナル変換を行うことにより、両ネットワーク間での通信を可能とする。
【００３９】
ＩＰ電話網１０５は、電話網の一部もしくは全てにＶｏＩＰ（Ｖｏｉｃｅ ｏｖｅｒ Ｉｎｔｅｒｎｅｔ Ｐｒｏｔｏｃｏｌ）技術を利用した通信網であり、用いる通信回線としてはＦＴＴＨ（Ｆｉｂｅｒ Ｔｏ Ｔｈｅ Ｈｏｍｅ）やＡＤＳＬ（Ａｓｙｍｍｅｔｒｉｃ Ｄｉｇｉｔａｌ Ｓｕｂｓｃｒｉｂｅｒ Ｌｉｎｅ）等の、いわゆるブロードバンド回線が利用される。なお、ＩＰ電話網１０５にはＩＰテレビ電話装置１００’が複数接続されているが、図１では簡単のため１台のみしか描写されていない。
【００４０】
なおＶｏＩＰとは、音声を各種符号化方式で圧縮した後にパケットに分割し、ＩＰネットワークでリアルタイム伝送する技術である。これによりＩＰ電話網１０５は音声通話サービスの他、画像の送受信を行うテレビ電話サービス等が提供可能となる。
【００４１】
インターネット１０６は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
【００４２】
ＰＳＴＮ網１０７は、一般の加入者電話回線ネットワークである。末端に加入者電話装置１０８を接続し、回線交換方式で通信相手に接続して音声通話を行うのに用いられる。加入者電話装置１０８は、電話加入者がＰＳＴＮ網１０７を用いてＰＳＴＮ網に接続された他の加入者電話装置や有線ＬＡＮ１０１やＩＰ電話網１０５に接続されたテレビ電話装置と音声通話を行うための電話装置である。
【００４３】
ヘルスケア装置１０９は、血圧計や血糖計、体温計、体重計などの、家庭内で計測できる健康管理のための測定器である。ユーザは必要なヘルスケア装置１０９を用いて日々の測定を行うことになる。そして詳細は後述するが、日々の測定結果がＩＰテレビ電話装置１００へ入力される。
【００４４】
次に、図２を参照して本実施例のＩＰテレビ電話装置１００について説明する。なお、図２は本実施例に係るＩＰテレビ電話装置１００の構成を示す内部ブロック図である。ＩＰテレビ電話装置１００は、制御部１１０、マイク１２０、スピーカ１３０、カメラ１４０、表示部１５０、入力部１６０、メモリ１７０、ＬＡＮインターフェース１８０を備えて構成される。
【００４５】
制御部１１０は、ＣＰＵ、ＲＡＭ、ＲＯＭを備えて構成されるマイクロプロセッサであり、ＲＡＭやＲＯＭに記憶された制御プログラムをＣＰＵにおいて実行することにより、以下に説明する各手段の動作を制御・統括する。
【００４６】
制御部１１０は、通信制御手段１１１、音声信号処理手段１１２、画像・映像信号処理手段１１３、表示制御手段１１４、データ制御手段１１５、時刻制御手段１１６、を備えて構成される。
【００４７】
通信制御手段１１１は、ＩＰテレビ電話装置１００が他のＩＰテレビ電話装置１００’と通信を行う際の通信制御を行うためのものである。これには、シグナリングとデータの送受信とに関わる制御が含まれる。シグナリングには通信セッションの生成、確立、切断が含まれる。具体的には、ユーザが入力部１６０を操作して電話番号等を入力した際に、ＩＰ電話網１０５に接続されたＳＩＰサーバ（図示せず）等に接続して通話相手先のＩＰテレビ電話装置１００’の位置情報を入手するとともに、通話相手先のＩＰテレビ電話装置１００’を呼出し、通話相手先が応答した場合に通信経路を確立することと、通話が終了した際にセッションの終了処理を行うことが含まれる。
【００４８】
データの送受信に関わる制御には、音声データ、映像データ、画像データをパケットに分割して送信するＩＰパケット処理と、有線ＬＡＮ１０１を介して受信したパケットを、正しい順序に並べ替えるとともに実際のデータ部分を抽出して組立てる処理とが含まれる。
【００４９】
データをパケットとして送信する際には、所定データ長に分割された各データに送信元、宛先、順序、送信時刻、用途（ＩＰ電話の音声データ、映像データ、画像データ）を示すヘッダを付加する。また、受信したパケットは、ヘッダ部分を参照することによって、音声、映像、画像ごとに正しい順序で組立てられてゆき、音声信号処理手段１１２、画像・映像信号処理手段１１３に出力される。
【００５０】
音声信号処理手段１１２は、マイク１２０から入力された音声をＡ／Ｄ変換し、次いで音声コーデックによって圧縮処理し、圧縮されたデータを通信制御手段１１１に出力する。また、通信制御手段１１１において組立てられた音声データを音声コーデックによって伸張処理し、次いでＤ／Ａ変換してスピーカ１３０から出力する。
【００５１】
画像・映像信号処理手段１１３は、映像コーデックを備えており、カメラ１４０において撮影された映像を圧縮処理し、圧縮されたデータを通信制御手段１１１に出力する。また、通信制御手段１１１において組立てられた映像データを伸張処理し、表示制御手段１１４に出力する。また、画像・映像信号処理手段１１３は、画像コーデックを備えており、通信制御手段１１１において組立てられた画像データを伸張処理し、メモリ（制御部１１０のＲＡＭ）に展開する。
【００５２】
表示制御手段１１４は、カメラ１４０及び画像・映像信号処理手段１１３から出力された映像データ及びメモリ（制御部１１０のＲＡＭ）に展開された画像データを表示部１５０に表示可能な所定の態様に処理し、表示部１５０に表示させるものである。
【００５３】
データ制御手段１１５は、通信制御手段１１１の受信データを監視することによって通話相手先のＩＰテレビ電話装置１００’から画像を受信したことを判定し、画像データを受信した場合には、その画像データをメモリ（制御部１１０のＲＡＭ）に展開したり、メモリ１７０から画像データを取込んでメモリ（制御部１１０のＲＡＭ）に展開したり、メモリ（制御部１１０のＲＡＭ）に展開されている画像データを、通話相手先へ送信する送信指示を行ったり、ＩＰテレビ電話装置１００にプリンタが接続されている場合にはプリンタへの出力指示を行ったり、メモリ１７０への保存を行ったりする。
【００５４】
時刻制御手段１１６は、通信制御手段１１１において各データをパケットに分割する際に、各データを例えば２０ｍＳ〜６０ｍＳずつ分割するタイミングを調整したり、受信したパケットを組立てる際に所定の時刻に各パケットが再生処理されるようにタイミング調整を行ったりするためのものである。
【００５５】
マイク１２０において集音された音声は、音声信号に変換され、音声信号処理手段１１２に出力される。また、音声信号処理手段１１２から出力された音声信号はスピーカ１３０において音声に変換され出力される。マイク１２０とスピーカ１３０は、ＩＰテレビ電話装置１００に固定的に設けられていてもよいが、ヘッドセットであってもよい。
【００５６】
カメラ１４０は、ＩＰテレビ電話装置１００の通話中にその前にある被写体を撮影するためのものである。またカメラ１４０はデジタル式のカメラからなり、撮影した静止画や動画はデジタル画像として扱われことになる。撮影された映像は、画像・映像信号処理手段１１３に出力され、制御部１１０で画像処理等が行われる。
【００５７】
表示部１５０は液晶ディスプレイユニットなどの表示体であり、表示制御手段１１４において処理された映像や画像を表示する。そしてＩＰテレビ電話装置１００に用いられるこの表示部１５０の画面サイズは、一般的な電話装置に用いられる表示部に比べると比較的大きなサイズで、７インチ程度のものが用いられる。一般的な電話装置であれば、相手方の電話番号や、電話装置に備わった機能を表示するメニュー画面などの文字情報の表示が主なものとなる。これに対し、テレビ電話装置の場合、画像情報を扱う必要があるので、できるだけ大きな画面サイズで、かつ高精細なものが好ましい。
【００５８】
入力部１６０は、ＩＰテレビ電話装置１００を構成する筐体の一部分に形成されたキーやボタンであるとともに、表示部１５０に一体に形成されたタッチパネルでも構成されている。ユーザは筐体に形成されたテンキーを直接押して入力操作を行ったり、表示部１５０に表示された入力用のアイコンの部位に接触することで入力操作を行ったりすることになる。
【００５９】
メモリ１７０は、フラッシュメモリ等であり、データ制御手段１１５はメモリ１７０に記録されている画像データを読込んでメモリ（制御部１１０のＲＡＭ）に展開し、編集して通話相手先に送信したり、通話相手先から受信した画像データをメモリ１７０に保存したりする。
【００６０】
ＬＡＮインターフェース１８０は、ＩＰテレビ電話装置１００を有線ＬＡＮ１０１へ接続するものであり、インターフェース１８０を介して有線ＬＡＮ１０１と制御部１１０との間でパケットの送受信が行われる。
【００６１】
次に、本実施例のＩＰテレビ電話装置１００に追加されている機能について説明する。図３はＩＰテレビ電話装置１００に追加されている機能を示すブロック図である。
【００６２】
ＩＰテレビ電話装置１００は、先に述べたようなＩＰテレビ電話装置としての基本的な機能のほかに、測定項目設定手段１２１、タイマー設定手段１２２、催促手段１２３、測定情報入力手段１２４、測定結果保存手段１２５、安否情報通報手段１２６をさらに備えている。
【００６３】
測定項目設定手段１２１は、ユーザが毎日行う健康測定のメニューを設定するためのものである。具体的には、血圧測定、血糖測定、体温測定、体重測定など、様々な健康測定のメニューの中から、必要な測定項目をユーザが選んで設定することができる。この測定項目は一つでも、複数項目を設定しても構わない。なお、測定項目設定手段１２１は本実施例において、制御部１１０、表示部１５０、入力部１６０で構成されている。
【００６４】
タイマー設定手段１２２は、測定項目設定手段１２１によりユーザが設定した測定項目の測定を開始する時間を設定するためのものである。ユーザが測定したい時間を任意に設定しても構わないが、測定項目によっては測定に適した時間があるので、そのような場合はその時間を設定するのがよい。また測定項目によっては一日に複数回測定する方がよいものもあるので、一つの測定項目に対して複数回設定してもよい。例えば、血圧測定の場合、朝と夜の２回測るのがよいと言われている。したがってユーザは毎日朝６時に起きて、夜１０時に寝るのであれば、例えばタイマーを朝７時と夜９時に設定することができる。なお、タイマー設定手段は本実施例において、制御部１１０、表示部１５０、入力部１６０で構成されている。なお、ＩＰテレビ電話装置１００を使い医者との間でテレビ会議を行うことで、医者の直接の指示のもと設定を行ってもよい。
【００６５】
催促手段１２３は、タイマー設定手段１２２で設定された測定時間になると、ユーザに測定時間になったことを知らせるためのものである。ユーザに知らせる具体的な手段としては、表示部１５０を介して発光などで知らせることも可能であるが、本実施例においては、スピーカ１３０を介してアラーム音を発生させることによりユーザに測定時間になったことを知らせている。なお、アラーム音と発光の両方で知らせる方法でも構わないし、例えば図示していないＩＰテレビ電話装置１００に付属の子機を振動させることにより知らせる方法でも構わない。
【００６６】
また、この催促手段１２３による催促はタイマー設定手段１２２で設定された測定時間のみ催促するのではなく、測定時間を基準に所定間隔で所定の回数催促を行う構成であってもよい。本実施例においては、測定時間になると５分間アラーム音を発生させ、その後測定を行った測定値の入力がなければ、１５分後に再度アラーム音を発生させ、このサイクルを合計５回繰り返すものとして説明を行う。なお、催促手段１２３は本実施例において、制御部１１０、スピーカ１３０で構成されている。
【００６７】
測定情報入力手段１２４は、ユーザがヘルスケア装置１０９で測定した測定値である健康測定情報をＩＰテレビ電話装置１００へ入力するためのものである。入力する具体的な手段としては、表示部１５０のタッチパネルからの入力であったり、入力部１６０のキーやボタンを介しての入力であったりしても構わない。また、例えばＩＰテレビ電話装置１００をホスト機器、ヘルスケア装置１０９を周辺機器として、両者をＵＳＢ（Ｕｎｉｖｅｒｓａｌ Ｓｅｒｉａｌ Ｂｕｓ）などを介して接続し、ヘルスケア装置１０９の測定データを出力し、ＩＰテレビ電話装置１００へ直接入力する方法でも構わない。このような構成によれば、ユーザが直接ＩＰテレビ電話装置１００を介して入力する必要がなく、また入力ミスも防ぐことができる。測定情報入力手段１２４は本実施例において、制御部１１０、入力部１６０で構成されている。
【００６８】
測定結果保存手段１２５は、健康測定情報を保存しておくためのものである。この健康測定情報の保存は単に測定値だけの保存に限らず、測定した日時や測定回数、またＩＰテレビ電話装置１００に気温や湿度などの周辺環境が測定できる機能が備わっていれば、それらのデータとともに保存しておけばよい。測定結果保存手段１２５は本実施例において、制御部１１０、メモリ１７０で構成されているものとしてまずは述べる。つまり、ＩＰテレビ電話装置１００の内部に測定結果を保存しておく構成について述べるが、後述するように、必ずしもＩＰテレビ電話装置１００の内部に保存しておく必要はなく、ＩＰネットワーク上に接続されたサーバに保存しておく構成であっても構わない。またＩＰテレビ電話装置１００の内部に測定結果を保存しておく場合、ＩＰネットワークを介して特定のものが測定結果にアクセスできるようにしおいても構わない。このような構成であれば、後述の安否情報の通報とは別に、この測定結果にアクセスすることでも安否を確認できるとともに、この測定結果を確認することでユーザの健康状態を知ることもできる。
【００６９】
安否情報通報手段１２６は、測定結果の入力が行われなかった場合に、ユーザに何かトラブルがあったものと判断し、事前に設定されている通報先に通報するためのものである。なお、測定結果の入力が行われた場合には、正常に入力が行われたことを通報先に通知し、入力が行われなかった場合には、入力が行われていないことを通報先に通知する構成であっても構わない。また、測定結果が正常に入力されたことを通報先に通知する構成だけでも構わない。いずれにしても健康測定情報の入力の有無にもとづき、通報が行われる構成となっている。この安否情報の通報はＩＰテレビ電話装置１００からＩＰネットワークを介して通報先のＩＰテレビ電話装置１００’や他の機器へ行われたり、ＰＳＴＮ網１０７を介して通報先の加入者電話機１０８へ行われたりする。なお、安否情報通報手段１２６は本実施例において、制御部１１０、ＬＡＮインターフェース１８０で構成されている。
【００７０】
次に、健康管理情報を用いたＩＰテレビ電話装置１００による安否確認について図４、図５を用いて具体的に説明していく。
【００７１】
まず、ＩＰテレビ電話装置１００への初期設定として図４に示すフローチャートのような処理をＩＰテレビ電話装置１００で行う。
【００７２】
最初に、まず通報先の設定を行う（ステップ２０１）。これはユーザに何かあった際、安否情報を伝えたい相手先を設定しておくためのものである。相手先の設定方法としては、別に住む家族の電話番号や日中不在の家族の携帯番号、病院の電話番号など通報先の電話番号を設定しておくことが考えられるが通報先のメールアドレスを設定しておくことなど、他の方法でも構わない。この通報先の設定を行うことによりユーザの健康測定が行われなかった場合、安否情報通報手段１２６により設定された者に通知が行われる。
【００７３】
つぎに、ユーザが行う測定項目の設定を測定項目設定手段１２１により行う（ステップ２０２）。具体的には血圧測定、血糖測定、体温測定、体重測定などの複数の健康測定項目が表示部１５０へ表示され、その中から入力部１６０を介してユーザが測定項目を決定する。本実施例では血圧測定を選択するものとして説明を行っていく。
【００７４】
つぎに、設定された測定項目について、タイマー設定手段１２２により測定を行う時間の設定を行う（ステップ２０３）。本実施例では血圧測定を朝７時と夜９時の一日２回測定するものとする。なお、ＩＰテレビ電話装置１００の機能を用いて、例えば医者と直接テレビ電話による問診を行いながら、医者の指示により測定項目や測定時間の設定を行う構成としてもよい。このような構成であれば、より正確な健康測定を行うことが可能となる。
【００７５】
つぎに、設定がすべて終了したかどうかの判断を行う（ステップ２０４）。これは例えば表示部１５０に表示された「設定完了」のキーと「他の項目を設定する」のキーのどちらをユーザが押したのかで判断する。「設定完了」のキーを押したのであれば、このフローは終了し、「他の項目を設定する」のキーを押したのであれば、ステップ２０２に戻り、血圧測定以外の項目についても設定を行うことになる。
【００７６】
続いて、初期設定を終えた後のＩＰテレビ電話装置１００の処理について図５のフローチャートに基づいて説明を行う。
【００７７】
まず、測定を行う時間かどうかの判断を行う（ステップ３０１）。これは、ステップ２０３で設定された測定時間になったかどうかで判断を行う。測定時間になったのであれば次の処理に進み、測定時間になっていなければ、この処理を繰り返す。
【００７８】
つぎに、測定時間になると催促手段１２３によりアラーム音を発生させる（ステップ３０２）。アラーム音は、単純な音でも構わないし、合成音声による案内音でも構わない。
【００７９】
つぎに、アラーム音の発生時間を計測するため、タイマーによる測定を開始する（ステップ３０３）。このタイマーは例えばＩＰテレビ電話装置１００で通話時間を計測するために用いるタイマーを利用すればよい。
【００８０】
つぎに、アラーム音の発生時間が所定期間を経過したかどうかの判断を行う（ステップ３０４）。本実施例ではこの所定期間を５分間としている。これはアラーム音の発生が一瞬で終わるとアラーム音を別の音と勘違いする恐れがあるためであり、またアラーム音を無限に発生させていると周辺に迷惑がかかるなど不都合もあるためである。そして所定時間が経過したかどうかで処理が異なってくる。
【００８１】
ステップ３０４でアラーム音の発生が５分経過していないのであれば、つぎにアラーム音の停止動作があるか否かの判定を行う（ステップ３０５）。これは例えばＩＰテレビ電話装置１００に設けられた「アラーム音ストップ」のキーが押されたか否かで判断する。ユーザがアラーム音に気づき、キーを押したのであれば、それ以上アラーム音を発生させる必要はないので、つぎの処理に移る。ストップのキーが押されていなければ、ステップ３０４に戻り、アラーム音の発生時間についての判断を繰り返す。
【００８２】
ステップ３０４でアラーム音の発生が５分経過した場合、またはステップ３０５でアラーム音の停止動作があった場合、タイマーをストップし（ステップ３０６）、アラーム音を停止する（ステップ３０７）。
【００８３】
つぎに、アラーム音の停止後、改めてタイマーによる計測を行う（ステップ３０８）。これはユーザが実際に測定を行い、測定情報の入力が所定期間内に行われるかどうかを判断するために行うものである。この所定期間は健康測定を行うのに費やされる時間、つまり測定実施期間である。そして測定実施期間は、アラーム音が停止した後、ヘルスケア装置１０９を用いてユーザが測定を完了するのに十分な時間が設定されることになる。そして本実施例としては１５分として設定されているが、健康測定の項目によっては、測定実施期間が大きく異なることが考えられる。したがって、図示していないが測定実施期間設定手段を別途設け、図４に示す初期設定のフローにおいて健康測定の項目にあわせて、測定実施期間を設定できるようにしておくとよい。
【００８４】
ステップ３０８でタイマーによる計測を開始した後、設定されている１５分が経過したかどうかの判断を行う（ステップ３０９）。経過していないのであればユーザは現在測定中であることが考えら、経過しているのであればユーザは測定を行っていないことが考えられるので、その後の処理が異なってくる。
【００８５】
ステップ３０９で１５分が経過していなければ、つぎに測定情報入力手段１２４による健康測定情報の入力があったかどうかの判断を行う（ステップ３１０）。健康測定情報の入力がなければ、またユーザは測定中であることが考えられるので、ステップ３０９に戻って、１５分が経過したかどうかの判断をつづける。
【００８６】
健康測定情報の入力があると、これ以上タイマーによる計測は必要ないので、タイマーによる計測を止める（ステップ３１１）。そして測定結果保存手段１２５により、今回の測定結果を保存し（ステップ３１２）、このフローを終了する。このように測定結果を保存しておくことで、ユーザは日々の血圧の変化を確認できるなど、健康管理に利用することができる。
【００８７】
ステップ３０９で１５分が経過していれば、つぎに今回アラーム音を発生させた回数が所定回数かどうかを判断する（ステップ３１３）。これは、アラーム音の発生回数が一度だけだと、ユーザが、たまたまアラーム音の聞こえない場所にいた場合や、アラーム音を停止した後で寝てしまった場合など、不都合なことも生じうるためである。従って、アラーム音の発生は何度か繰り返しておこなった方がよく、本実施例では５回行うことにしている。この判断はアラーム音の発生が終了する毎にフラグを立てておき、その回数をカウントするなどして行えばよい。
【００８８】
そして、アラーム音の発生回数が５回に達していなければ、ステップ３０２に戻り、アラーム音の発生処理から、また処理を進めていく。
【００８９】
アラーム音の発生回数が５回に達していた場合、ユーザが測定を行えない状況にある可能性が高いので、ユーザに何かしらのトラブルがあったと判断し、ステップ２０１で設定されている連絡先へ通報を行い（ステップ３１４）、このフローを終了する。
【００９０】
このように、本実施例によるＩＰテレビ電話装置１００によれば、健康測定が設定されている日時に行われてない場合、健康測定情報を得ることができないのでＩＰテレビ電話装置１００から、設定されている連絡先へ通報がなされ、連絡先の者はユーザに何かトラブルが発生している可能性があることを知ることができる。特に健康測定は決められた時間に行うよう設定され、その時間になると健康測定を行うよう催促が行われるので、健康測定情報は決まった時間に得ることできる。
【００９１】
つぎにＩＰテレビ電話装置を含めた安否確認システムにおける本発明の他の実施例ついて説明する。ＩＰテレビ電話装置を備えた安否確認システムは、ＩＰネットワーク上に健康測定情報を保存できる測定結果保存サーバをＩＰテレビ電話装置とは別に備えている。そしてこの測定結果保存サーバが本実施例では測定結果保存手段を構成している。またＩＰテレビ電話装置は測定項目設定手段、タイマー設定手段、催促手段、測定情報入力手段を備えている。
【００９２】
測定情報入力手段によりＩＰテレビ電話装置に入力された健康測定情報は、測定結果保存手段を構成する測定結果保存サーバへネットワークを介して送信される。このＩＰテレビ電話装置からの送信は、ユーザによる送信処理により行ってもよいが、ＩＰテレビ電話装置に健康測定情報が入力された時点で自動的に送信されるよう構成しておくとよい。
【００９３】
このように健康測定情報を測定結果保存サーバで保存することにより、特定の者にだけ健康測定情報へのアクセス権を設定しておくことで、アクセス権を有する者はこの情報へアクセスすることが可能となり、ユーザの安否を簡単に確認することができる。つまり、健康測定情報の更新が行われていればユーザの安否に問題がないことを知ることができ、健康測定情報の更新が止まっていればユーザの安否に何か問題がある可能性があることを簡単に知ることができる。したがって、ＩＰテレビ電話装置１００のような所定の連絡先へ連絡を行う安否情報通報手段１２６を必ずしも備えておく必要がなくなる。また単に安否確認だけでなく、例えばアクセス権をかかりつけの医者に与えている場合、健康測定情報を医者が確認し、もし測定結果に異常があるようなら直にユーザに対する問診についてＩＰテレビ電話装置を介して行うことも可能である。
【００９４】
なお、ＩＰテレビ電話装置の測定項目設定手段は、すべてＩＰテレビ電話装置の内部で構成される必要はなく、例えば健康測定項目についてはＩＰネットワーク上の設けられた記憶手段に記憶しておき、複数のＩＰテレビ電話装置で共有して用いてもよい。またＩＰネットワーク上の別の制御部からの指示により機能しても良い。同様に、タイマー設定手段、催促手段、測定実施期間設定手段などについても、ＩＰネットワーク上の別の制御部からの指示によりＩＰテレビ電話装置において機能する構成であってもよい。
【符号の説明】
【００９５】
１０    安否確認システム
１００  ＩＰテレビ電話装置
１１０  制御部
１２１  測定項目設定手段
１２２  タイマー設定手段
１２３  催促手段
１２４  測定情報入力手段
１２５  測定結果保存手段
１２６  安否情報通報手段
【図１】
2013026783.tif 000003
【図２】
2013026783.tif 000004
【図３】
2013026783.tif 000005
【図４】
2013026783.tif 000006
【図５】
2013026783.tif 000007